(57)【特許請求の範囲】
【請求項１】
ネズミを超音波により誘引する方法であって、
前記超音波は、互いに間隔をおいた複数の音節からなるユニットが、互いに間隔をおいて複数回繰り返される周波数特性を有することを特徴とするネズミ誘引方法。
【請求項２】
１つの前記ユニット内において、各音節の平均周波数は、時間経過に従って低くなる傾向があることを特徴とする請求項１に記載のネズミ誘引方法。
【請求項３】
１つの前記ユニット内の前記音節の数の平均値は、２〜２０であることを特徴とする請求項１または２に記載のネズミ誘引方法。
【請求項４】
隣り合う前記ユニットの平均間隔は、１つの前記ユニット内の隣り合う前記音節の平均間隔の２倍以上であることを特徴とする請求項１〜３のうちいずれか１項に記載のネズミ誘引方法。
【請求項５】
前記超音波の周波数は、３０ｋＨｚ〜４７ｋＨｚの範囲にあることを特徴とする請求項１〜４のうちいずれか１項に記載のネズミ誘引方法。
【請求項６】
ネズミを超音波により誘引する装置であって、
互いに間隔をおいた複数の音節からなるユニットが、互いに間隔をおいて複数回繰り返される周波数特性を有する超音波を発生する超音波発生手段を備えていることを特徴とするネズミ誘引装置。
【請求項７】
ネズミを超音波により誘引し捕獲する装置であって、
ネズミを誘引するネズミ誘引装置と、誘引したネズミを捕獲する捕獲器とを備え、
前記ネズミ誘引装置は、互いに間隔をおいた複数の音節からなるユニットが、互いに間隔をおいて複数回繰り返される周波数特性を有する超音波を発生する超音波発生器を備えていることを特徴とするネズミ捕獲装置。
【請求項８】
前記ネズミ誘引装置に所定距離まで近づいたネズミを検知するセンサ部と、
前記センサ部からの検知信号に基づいて前記超音波発生器における超音波の音圧を低くする制御部と、を有することを特徴とする請求項７に記載のネズミ捕獲装置。
【発明の詳細な説明】
【技術分野】
【０００１】
本発明は、ドブネズミ、クマネズミなどのネズミを駆除のために誘引する方法および装置、並びにネズミ捕獲装置に関する。
【背景技術】
【０００２】
ネズミの駆除方法としては、食餌や誘引物質を用いて捕獲器により捕獲する方法、殺鼠剤を用いる方法などがある。
しかしながら、これらの方法では、安全性に対する配慮が必要となる上、使用場所が限定されることがある。また、ねずみの慣れや誘因効果の低さにより、効果的な駆除が難しくなることがあった。
安全性の高い駆除方法としては、超音波を用いてネズミを駆逐または捕獲する方法がある（特許文献１、２を参照）。
ネズミを駆逐するには、忌避効果のある超音波が用いられる。ネズミを捕獲するには、誘因効果のある超音波を用いてネズミを誘引し捕獲器により捕獲する。
超音波を用いる方法は、安全性が高く、装置の設置が容易であるという利点があり、近年、注目されている。もちろん、忌避効果のある超音波と、誘因効果のある超音波には特性に大きな違いがあることは言うまでもない。
【先行技術文献】
【特許文献】
【０００３】
【特許文献１】特開昭５４−１５３１６４号公報
【特許文献２】特開昭５６−０４５１５２号公報
【発明の概要】
【発明が解決しようとする課題】
【０００４】
しかしながら、超音波によりネズミを駆逐する方法は、ネズミの馴化により忌避効果が長続きしないことに加え、ネズミを捕獲する訳ではないため根本的な解決になり得ないという大きな問題がある。
一方、超音波によってネズミを誘引し捕獲する方法は、ネズミの馴化は比較的起こりにくいが、誘引効果は十分とはいえず、より誘因効果の高い方法が求められている。
本発明は、このような状況に鑑みてなされたものであって、超音波を用いてネズミを誘引する方法において、誘因効果が高く、効率のよいネズミ捕獲が可能となる誘引方法および装置、並びにネズミ捕獲装置を提供することを目的とする。
【課題を解決するための手段】
【０００５】
本発明のネズミ誘引方法は、ネズミを超音波により誘引する方法であって、前記超音波は、互いに間隔をおいた複数の音節からなるユニットが、互いに間隔をおいて複数回繰り返される周波数特性を有するネズミ誘引方法である。
本発明では、超音波として、ネズミが発する音声を用いることができる。使用する超音波の特性は、後述する試験結果に基づいて得られたものである。
１つの前記ユニット内において、各音節の平均周波数は、時間経過に従って低くなる傾向があることが好ましい。
１つの前記ユニット内の前記音節の数の平均値は、２〜２０であることが好ましい。
隣り合う前記ユニットの平均間隔は、１つの前記ユニット内の隣り合う前記音節の平均間隔の２倍以上であることが好ましい。
前記超音波の周波数は、３０ｋＨｚ〜４７ｋＨｚの範囲にあることが好ましい。
【０００６】
本発明のネズミ誘引装置は、ネズミを超音波により誘引する装置であって、互いに間隔をおいた複数の音節からなるユニットが、互いに間隔をおいて複数回繰り返される周波数特性を有する超音波を発生する超音波発生手段を備えているネズミ誘引装置である。
【０００７】
本発明のネズミ捕獲装置は、ネズミを超音波により誘引し捕獲する装置であって、ネズミを誘引するネズミ誘引装置と、誘引したネズミを捕獲する捕獲器とを備え、前記ネズミ誘引装置は、互いに間隔をおいた複数の音節からなるユニットが、互いに間隔をおいて複数回繰り返される周波数特性を有する超音波を発生する超音波発生器を備えているネズミ捕獲装置である。
本発明のネズミ捕獲装置は、  前記ネズミ誘引装置に所定距離まで近づいたネズミを検知するセンサ部と、前記センサ部からの検知信号に基づいて前記超音波発生器における超音波の音圧を低くする制御部と、を有する構成としてもよい。
【発明の効果】
【０００８】
本発明によれば、複数の音節からなるユニットが複数回繰り返される周波数特性を有する超音波を用いることによって、優れた誘因効果を得ることができ、ネズミを効率よく捕獲することができる。
【図面の簡単な説明】
【０００９】
【図１】本発明の一実施形態であるネズミ捕獲装置の概略構成を示す図である。
【図２】前図に示すネズミ捕獲装置のネズミ誘引装置の概略構成を示す図である。
【図３】（ａ）実施例の超音波の周波数特性を示すグラフである。（ｂ）比較例の超音波の周波数特性を示すグラフである。
【図４】前図に示す実施例の超音波の周波数特性の詳細を示すグラフである。
【図５】音節の波形（周波数特性）の例を示すものである。
【図６】ネズミ捕獲装置のセンサ部およびネズミ誘引装置を示す説明図である。
【図７】ネズミ捕獲装置のセンサ部およびネズミ誘引装置をさらに詳細に示す説明図である。
【図８】試験例で用いた試験装置の概略構成を示す平面図である。
【図９】試験結果を示すグラフである。
【図１０】試験結果を示すグラフである。
【図１１】試験結果を示すグラフである。
【発明を実施するための形態】
【００１０】
図１は、本発明のネズミ捕獲装置の一実施形態であるネズミ捕獲装置１を示すものである。図２は、ネズミ捕獲装置１のネズミ誘引装置２の概略構成を示す図である。図３（ａ）は、実施例の超音波の周波数特性を示すグラフであり、図３（ｂ）は比較例の超音波の周波数特性を示すグラフである。図４は、実施例の超音波の周波数特性の詳細を示すグラフである。図５（ａ）〜図５（ｃ）は、音節Ｓの波形（周波数特性）の例を示すものである。図６および図７は、ネズミ捕獲装置１の要部を示す説明図である。
【００１１】
図１および図２に示すように、ネズミ捕獲装置１は、ネズミを誘引するネズミ誘引装置２と、誘引したネズミを捕獲する捕獲器３、ネズミを検知するセンサ部４とを備えている。
捕獲器３は、捕獲器本体６と、捕獲器本体６上に設けられたカバー部７とを備えている。
捕獲器本体６は、略直方体のケース状とすることができ、天板部６ａにはネズミ１０を捕獲器本体６の内部に落とし込む開口部６ｂが形成されている。開口部６ｂには、この開口部６ｂを開閉自在に閉止する蓋６ｃを設けることができる。
【００１２】
捕獲器本体６の内部には、捕獲したネズミ１０を処理するための装置を設けてもよい。例えば、ネズミ１０を溺死させるための水槽、ネズミ１０を感電させる通電手段、ネズミ１０を冷凍する冷却手段などを設けることができる。
符号５は、ネズミ１０を捕獲器本体６上に導くガイド部である。
【００１３】
カバー部７は、天板部７ａとその両側縁から垂下する側板部７ｂとを有する。カバー部７の両端部は開放され、一端開口７ｃはネズミ１０が通過可能とされている。
カバー部７は、捕獲器本体６の天板部６ａ上において、開口部６ｂを覆う位置に設けることができる。
【００１４】
図２に示すように、ネズミ誘引装置２は、音声データを格納する記憶部１１と、記憶部１１内のデータに基づき信号を発する制御部１２と、制御部１２からの信号に基づいて超音波を発生するスピーカ１３（超音波発生手段）とを備えている。
記憶部１１としては、フレキシブルディスク、光磁気ディスク、ＲＯＭ、ＣＤ−ＲＯＭ等の可搬媒体、コンピュータシステムに内蔵されるハードディスク等の記憶装置が使用できる。
ネズミ誘引装置２は、捕獲器本体６の天板部６ａ上において、カバー部７の他端部７ｄ側に設けられ、スピーカ１３が発する超音波を他端部７ｄからカバー部７内に送り込むことができる。
【００１５】
ネズミ誘引装置２により発せられる超音波は、互いに間隔をおいた複数の音節からなるユニットが、互いに間隔をおいて複数回繰り返される周波数特性を有する。
図３（ａ）は、本発明で用いられる超音波の周波数特性の一例を示すもので、親から離れた１週齢のクマネズミの発する音声から得られたものである。図３（ａ）および図３（ｂ）において横軸は時間を示し、縦軸は周波数（Ｈｚ）を示す。横軸の目盛りは、「分：秒」を示す。例えば、「１：０９．５」は１分９．５秒を示す。
この図に示す波形は、複数の音節ＳからなるユニットＵが、互いに間隔をおいて複数回繰り返されて構成されている（ユニットＵ１〜Ｕ４）。
【００１６】
図４は、ユニットＵの一例を示すもので、このユニットＵは、互いに間隔をおいた１２の音節Ｓ（Ｓ１〜Ｓ１２）から構成されている。
１つの音節Ｓは連続音であり、１つの音節Ｓの平均長さは、例えば０．０５〜０．３秒とすることができる。この平均長さは例えば０．０５〜０．２秒、または０．１〜０．３秒でもよい。
【００１７】
図５（ａ）〜図５（ｃ）は、音節Ｓの波形（周波数特性）の例を示すものであり、これらの波形は図３と同様に、左右方向が時間を示し、上下方向が周波数を示す。
図５（ａ）は、時間経過に従って周波数が低くなる傾向がある波形を有する音節Ｓの例を示すものである。この図には４つの例が示されている。
この図に示す波形においては、周波数の経時変化を示す近似直線（例えば最小二乗法により導出した直線）の傾きは負となる。
図５（ｂ）は、時間経過に従って周波数が高くなる傾向がある波形を有する音節Ｓの例を示すものである。この図にも４つの例が示されている。
この図に示す波形においては、周波数の経時変化を示す近似直線（例えば最小二乗法により導出した直線）の傾きは正となる。
図５（ｃ）は、時間経過に従って周波数がいったん高くなった後、低くなる傾向がある波形を有する音節Ｓの例を示すものである。この図にも４つの例が示されている。
この図に示す波形においては、前半部分における周波数の経時変化を示す近似直線（例えば最小二乗法により導出した直線）の傾きは正となり、後半部分における周波数の経時変化を示す近似直線の傾きは負となる。
音節Ｓは、図５（ａ）〜図５（ｃ）に示すもののうちいずれの傾向を有する波形であってもよい。
【００１８】
１つのユニットＵ内における隣り合う音節Ｓ、Ｓの間隔（例えば図４に示すｔ１）の平均は、例えば０．０５〜０．２秒とすることができる。この平均間隔は例えば０．０５〜０．１５秒、または０．１〜０．２秒でもよい。
この平均間隔は、音節Ｓの平均長さに対して例えば２５〜３００％とすることができる。音節Ｓの平均長さに対する前記平均間隔の比率は５０〜２００％でもよい。
【００１９】
１つのユニットＵ内における音節Ｓの数は、例えば２〜２０とすることができる。
ユニットＵの平均長さは、例えば０．１〜２．０秒とすることができる。この平均長さは０．１〜１．５秒でもよい。
図３（ａ）に示すように、隣り合うユニットＵ、Ｕの間隔（例えば図３（ａ）に示すｔ２）の平均は、前記隣り合う音節Ｓ、Ｓの平均間隔（例えば図４に示すｔ１）の２倍以上（例えば３倍以上）とすることができる。
【００２０】
１つのユニットＵ内において、各音節Ｓの平均周波数は、時間経過に従って低くなる傾向があることが好ましい（図３（ａ）および図４を参照）。
すなわち、各音節Ｓの平均周波数の経時変化を示す近似直線（例えば最小二乗法により導出した直線）の傾きが負となることが好ましい。
この傾きは、図４に示す例（横軸の時間の単位は秒、縦軸の周波数の単位はＨｚ）において、例えば−１〜−７（ｋＨｚ／秒）とすることができる。
【００２１】
前記超音波の周波数は、３０ｋＨｚ〜４７ｋＨｚの範囲にあることが好ましい。
周波数をこの範囲とすることによって、誘因効果を高めることができる。
前記周波数特性の超音波は、幼齢（例えば生後１日〜２週間程度）のネズミの音声を記録し、これを再生することで実現できる。
【００２２】
図３（ｂ）は、比較のため、本発明には適用できない超音波の波形を示すもので、図３（ａ）が幼齢ネズミの発する音声から得られた波形を示すものであるのに対し、図３（ｂ）は成齢ネズミの発する音声から得られた波形を示すものである。
図３（ｂ）では、「音節」は明確ではない。また「複数の音節からなるユニット」は特定できない。
また、図３（ａ）では、周波数が大きく異なる２つの超音波が同時に発せられることはほとんどないが、図３（ｂ）では、周波数が大きく異なる２つの超音波が同時に発せられることがあることが確認できる。
【００２３】
図６に示すように、センサ部４（センサ部）は、所定の検知範囲１４内に入ったネズミ１０を検知するものである。
図７に示すように、センサ部４は、センサ本体４ａと、センサ制御部４ｂとを備えた構成とすることができる。
センサ本体４ａとしては、赤外線センサ、光電センサなどが使用でき、例えば、デュアル素子タイプの赤外線センサが好適である。
ネズミ誘引装置２の制御部１２は、制御部本体１６と、Ｄ／Ａ変換部１７と、増幅部１８とを備えた構成とすることができる。
増幅部１８は、センサ部４からの検出信号に基づいて信号増幅率を調整可能とされている。
【００２４】
次に、ネズミ捕獲装置１の使用方法について説明する。
本発明の対象となるネズミは、ドブネズミ（Ｒａｔｔｕｓ  ｎｏｒｖｅｇｉｃｕｓ）、クマネズミ（Ｒａｔｔｕｓ  ｒａｔｔｕｓ）などである。
図１に示すように、ネズミ誘引装置２を稼働させ、スピーカ１３から前記周波数特性を有する超音波を発生させる。
例えば、図７に示すように、記憶部１１からの信号に基づいて制御部本体１６は制御信号を出力し、制御信号はＤ／Ａ変換部１７におけるデジタル／アナログ変換を経て増幅部１８に送られ、増幅部１８では、前記制御信号が適宜増幅されてスピーカ１３に送られ、スピーカ１３は超音波を発する。
超音波はカバー部７内を経て一端開口７ｃから外部に向けて発せられる。
【００２５】
図１に示すように、超音波のもつ誘因効果によって誘引されたネズミ１０は、捕獲器本体６の天板部６ａ上に至り、一端開口７ｃからカバー部７に入って天板部６ａの蓋６ｃ上に達する。
ここで、蓋６ｃが開放されると、ネズミ１０は開口部６ｂから捕獲器本体６内に落下する。これによって、ネズミ１０は捕獲される。
ネズミ１０には、捕獲器本体６内で適宜の処理を行ってもよい。例えば捕獲器本体６内の開口部６ｂの下方に設置した水槽内の水に通電しておけば、ネズミ１０は水槽内に落下するとともに、感電により気絶し溺死する。
【００２６】
次に、センサ部４を用いる場合のネズミ捕獲装置１の動作について説明する。
図６および図７示すように、ネズミ１０がセンサ部４に所定距離まで近づくと、検知範囲１４内にネズミ１０が入る。これによって、センサ本体４ａから検知信号が発せられ、これを受けたセンサ制御部４ｂは検知信号をネズミ誘引装置２の制御部１２の増幅部１８に送る。
増幅部１８では、前記Ｄ／Ａ変換部１７から送られた信号の増幅率が調整され、スピーカ１３が発する超音波の音圧が低くされる。
超音波の音圧を調整するのは、当初は音圧を高くしておくことにより広範囲のネズミを誘引し、音圧を低くすることにより、近づいてきたネズミの警戒心をなくすことができるためである。これにより、ネズミ１０を誘引する効果を高めることができる。
【００２７】
上記ネズミ誘引方法では、複数の音節ＳからなるユニットＵが複数回繰り返される周波数特性を有する超音波を用いることによって、優れた誘因効果を得ることができ、ネズミを効率よく捕獲することができる。
【００２８】
なお、図１には、ネズミ１０を開口部６ｂから捕獲器本体６内に落とし込む方式の捕獲器３を例示したが、捕獲器の構成はこれに限らず、粘着材によりネズミを捕獲する方式、バネ材によってネズミを挟み込んで捕獲する方式など、任意の方式を採用できる。また、殺鼠剤、誘引剤、食餌等を併用することもできる。
また、ネズミ誘引装置２は、前記周波数特性を有する超音波を発生できるものであれば前記構成に限定されない。
また、上記ネズミ捕獲装置１は、ネズミ誘引装置２の制御部１２とセンサ部４を用いて超音波の音圧調整を行っているが、センサ部４を備えていない構成も可能である。
【実施例】
【００２９】
図８に示す試験装置を用いて、次の試験を行った。
この試験装置は、ゲージ２０の長さ方向に互いに十分に離れた位置に、第１通路２１および第２通路２２が形成されている。第１通路２１および第２通路２２の最奥部にはそれぞれスピーカ１３が設置されている。
第１通路２１および第２通路２２は、ゲージ２０の長さ方向にほぼ垂直に、互いに反対の方向に向けて形成されている。
試験に用いたネズミ１０は、未経産のメスの成齢ラット、経産のメスの成齢ラット、およびオスの成齢ラットとし、各１０頭を使用した。
１頭のネズミ１０をゲージ２０に入れ、１５分間放置してその環境に慣れさせた後、第１通路２１および第２通路２２のうち一方においてスピーカ１３により超音波を発生させ、他方のスピーカ１３は無音とした。
前記超音波は、１週齢のクマネズミの発する音声を録音し、再生したもので、前記周波数特性（複数の音節からなるユニットが複数回繰り返される）を有する（図３（ａ）および図４参照）（平均周波数約４０ｋＨｚ）。
【００３０】
試験開始後、１０分間の観察において次の項目について調べた。
（１）各通路にネズミ１０が最初に進入するまでの時間（初回進入時間）
（２）各通路におけるネズミ１０の滞在時間
（３）各通路へのネズミ１０の進入回数
各試験結果について、各タイプのネズミ１０における平均値を算出した。
結果を図９〜図１１に示す。各図において、超音波音声を再生した方の通路を「再生」とし、再生していない方の通路を「無音」とした。
【００３１】
図９より、超音波を再生した通路には、ネズミ１０は短時間で進入していることがわかる。
図１０より、超音波を再生した通路には、ネズミ１０は長く滞在していることがわかる。
図１１より、超音波を再生した通路では、ネズミ１０の進入回数が多いことがわかる。
【００３２】
これらの結果より、前記周波数特性を有する超音波を使用することによって、優れた誘因効果が得られることが確認された。
【符号の説明】
【００３３】
１・・・ネズミ捕獲装置、２・・・ネズミ誘引装置、３・・・捕獲器、４・・・センサ部、１０・・・ネズミ、１１・・・記憶部、１２・・・制御部、１３・・・スピーカ（超音波発生手段）、１４・・・検知範囲、Ｕ・・・ユニット、Ｓ・・・音節。
【図１】
0005425689.tif 000002
【図２】
0005425689.tif 000003
【図５】
0005425689.tif 000004
【図６】
0005425689.tif 000005
【図７】
0005425689.tif 000006
【図８】
0005425689.tif 000007
【図９】
0005425689.tif 000008
【図１０】
0005425689.tif 000009
【図１１】
0005425689.tif 000010
【図３】
0005425689.tif 000011
【図４】
0005425689.tif 000012